(57)【要約】【課題】ファイル内のページのコンテンツに応じて別の給紙部から最適な被記録媒体を選択的に給紙するようにした。ページ内が画像中心であれば光沢紙を、テキストなら普通紙を給紙して画像品位とコストの両立をはかる。また、設定を簡略化する。【解決手段】例えば、サムネイル表示された各ページの内容を見ながら、ページごとに記録紙を選択し、それに応じたビンから記録紙が給紙され、最適な印字モードで記録を行う。また、画像情報とテキスト情報を区別し、自動的に別の記録紙に印字を行う。また、サイズ検知、メディア検知と組合せる。【選択図】        図１
2005001252.tif 000002
【特許請求の範囲】
【請求項１】
被記録媒体を複数枚収納可能な複数の被記録媒体収納部と、これら各被記録媒体収納部内の被記録媒体を給送する給送手段と、給送手段により給送された被記録媒体上に記録を行う記録手段と、記録に使用する被記録媒体の収納された収納部をホスト上でページごとに指定可能なプリンタドライバと、前記プリンタドライバの指定に基づき、複数の被記録媒体収納部から選択的に被記録媒体を給送するよう制御する制御手段を有することを特徴とする記録システム。
【請求項２】
被記録媒体を複数枚収納可能な複数の被記録媒体収納部と、これら各被記録媒体収納部内の被記録媒体を給送する給送手段と、給送手段により給送された被記録媒体上に記録を行う記録手段と、あらかじめ被記録媒体収納部に収納されている被記録媒体の種類及びサイズを指定でき、ホスト上で被記録媒体の種類及びサイズをページごとに指定可能なプリンタドライバと、前記プリンタドライバの指定に基づき、複数の被記録媒体収納部から選択的に被記録媒体を給送するよう制御する制御手段を有することを特徴とする記録システム。
【請求項３】
前記プリンタドライバは被記録媒体の種類及びサイズの指定に応じて最適な印字モードを自動設定する請求項２の記録システム。
【請求項４】
前記記録手段はインクジェットヘッドからインクを被記録媒体上に吐出して記録を行うインクジェット記録装置であり、前記プリンタドライバによる被記録媒体の種類及びサイズの指定に応じた最適なインク吐出量や吐出回数を自動設定する請求項３の記録システム。
【請求項５】
被記録媒体を複数枚収納可能な複数の被記録媒体収納部と、これら各被記録媒体収納部内の被記録媒体を給送する給送手段と、給送手段により給送された被記録媒体上に記録を行う記録手段と、前記複数の被記録媒体収納部に収納されている被記録媒体の種類あるいはサイズを検知する手段と、ホスト上で被記録媒体の種類及びサイズをページごとに指定可能なプリンタドライバと、前記プリンタドライバの指定と前記検知手段の検知結果に基づき、複数の被記録媒体収納部から選択的に被記録媒体を給送するよう制御する制御手段を有することを特徴とする記録システム。
【請求項６】
記録に使用する被記録媒体の収納された収納部または被記録媒体の種類及びサイズをページごとに指定する際、ページごとの内容を画面に一覧表示させてページ内容を見ながら指定可能としたことを特徴とする請求項１〜５の記録システム。
【請求項７】
被記録媒体を複数枚収納可能な複数の被記録媒体収納部と、これら各被記録媒体収納部内の被記録媒体を給送する給送手段と、給送手段により給送された被記録媒体上に記録を行う記録手段と、あらかじめ記録内容に応じた被記録媒体種を指定できるプリンタドライバと、前記プリンタドライバの指定に基づき、複数の被記録媒体収納部から記録内容に応じて被記録媒体をページごとに自動選択して給送するよう制御する制御手段を有することを特徴とする記録システム。
【請求項８】
前記プリンタドライバはテキスト記録及び画像記録それぞれに応じた被記録媒体を指定可能である請求項７の記録システム。
【請求項９】
１ページ内のテキスト部分と画像部分の比率に応じて、被記録媒体を自動選択して給送する請求項７の記録システム。
【発明の詳細な説明】
【０００１】
【発明の属する技術分野】
本発明はホストコンピュータで作成した文字や画像ドキュメントを出力する記録システムに関するものである。
【０００２】
【従来の技術】
従来からホストコンピュータで文字や画像ドキュメントを作成し、プリンタで出力する記録システムが一般に普及している。
【０００３】
また、インクジェットプリンタに代表される、カラーで写真調の記録が可能な小型のプリンタも市場に登場しており、容易に写真画質を得られるようになってきている。
【０００４】
インク受容層を設けた被記録媒体の改善も進んでおり、普通紙に記録するよりあざやかで発色性よく記録可能で、また用紙の質感もよいことが特徴となっている。これらの被記録媒体の登場で、要求する画像レベルに応じて適切な媒体を選ぶことが可能となり、ユーザの自由度がますますひろがってきている。
【０００５】
プリンタも媒体の多様化に対応して、オートシートフィーダとカセット、オートシートフィーダと手差し口など複数の給紙部を設けるものが多くなってきている（例えば、特許文献１参照）。
【０００６】
【特許文献１】
特開平１０−２０２９６９号公報
【０００７】
【発明が解決しようとする課題】
しかしながら、上記従来例では以下のような欠点があった。
【０００８】
第１に、近年のホストの高速化や記憶デバイスの大容量化に伴い、作成するドキュメントはテキストや画像だけの場合はむしろまれになってきており、１つのファイル内に両者が混在している場合のほうが多い。
【０００９】
ところが、従来の記録システムではファイルごとに被記録媒体やサイズを指定し、それによってどの給紙部から給紙して記録するか決定してしまうので、ファイル内のページを全部記録しようとすると、すべて同じ被記録媒体に記録してしまう。従って、画像しか存在しないページでも普通紙に記録されたり、反対にテキストページも価格の高い画像用の被記録媒体に記録されたりして、画像に応じた最適な媒体選択が不可能であるという欠点があった。
【００１０】
第２に、１つのファイル内の希望のページだけ記録するよう指定し、被記録媒体を選択して記録する操作を繰り返せばページごとに被記録媒体を変更して記録することは可能であるが、複数回の記録指示動作が必要となり、操作が煩雑なうえ、時間を浪費してしまう欠点があった。
【００１１】
第３に、被記録媒体の指定も初心者にとってはとまどう作業であり、操作の面で困難であるという欠点があった。
【００１２】
【課題を解決するための手段】
上記問題点を解決するために第１の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、記録に使用する被記録媒体の収納された収納部をホスト上でページごとに指定可能なプリンタドライバと、前記プリンタドライバの指定に基づき、複数の被記録媒体収納部から選択的に被記録媒体を給送するよう制御する制御手段を有することにより、ページごとに被記録媒体収納部の選択をして記録することができる。
【００１３】
第２の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、あらかじめ被記録媒体収納部に収納されている被記録媒体の種類及びサイズを指定でき、ホスト上で被記録媒体の種類及びサイズをページごとに指定可能なプリンタドライバと、前記プリンタドライバの指定に基づき、複数の被記録媒体収納部から選択的に被記録媒体を給送するよう制御する制御手段を有することにより、ページごとに被記録媒体の種類及びサイズの選択をして記録することができる。
【００１４】
第３の発明においては、前記プリンタドライバが被記録媒体の種類及びサイズの指定に応じて最適な印字モードを自動設定することによりつねに最適な記録モードで記録できる。
【００１５】
第４の発明においては、前記記録手段が、インクジェットヘッドからインクを被記録媒体上に吐出して記録を行うインクジェット記録装置であり、前記プリンタドライバによる被記録媒体の種類及びサイズの指定に応じた最適なインク吐出量や吐出回数を自動設定することにより、つねに最適な記録モードで記録できる。
【００１６】
第５の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、前記複数の被記録媒体収納部に収納されている被記録媒体の種類あるいはサイズを検知する手段と、ホスト上で被記録媒体の種類及びサイズをページごとに指定可能なプリンタドライバと、前記プリンタドライバの指定と前記検知手段の検知結果に基づき、複数の被記録媒体収納部から選択的に被記録媒体を給送するよう制御する制御手段を有することにより、あらかじめ被記録媒体収納部に収納されている被記録媒体の種類及びサイズを指定することなしに、ページごとに被記録媒体の種類及びサイズの選択をして確実に記録することができる。
【００１７】
第６の発明においては、記録に使用する被記録媒体の収納された収納部または被記録媒体の種類及びサイズをページごとに指定する際、ページごとの内容を画面に一覧表示させてページ内容を見ながら指定可能としたことにより、記録内容による被記録媒体の選択を容易にして、ページごとに被記録媒体の種類及びサイズの選択をして記録することができる。
【００１８】
第７の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、あらかじめ記録内容に応じた被記録媒体種を指定できるプリンタドライバと、前記プリンタドライバの指定に基づき、複数の被記録媒体収納部から記録内容に応じて被記録媒体をページごとに自動選択して給送するよう制御する制御手段を有することにより、記録内容に応じて自動的に被記録媒体を選択して給紙、記録することができる。
【００１９】
第８の発明においては、前記プリンタドライバがテキスト記録及び画像記録それぞれに応じた被記録媒体を指定可能であるようにしたことにより、記録内容がテキストか画像かによって被記録媒体を自動選択して記録することができる。
【００２０】
第９の発明においては、１ページ内のテキスト部分と画像部分の比率に応じて、被記録媒体を自動選択して給送するよう制御する制御手段を有することにより、テキスト部分と画像部分の比率に応じて自動的に被記録媒体を選択して給紙、記録することができる。
【００２１】
【発明の実施の形態】
（第１の実施例）
図１は本発明の記録システムの一部を為す第一の実施例の記録装置を表す図である。図において、１はシートフィーダユニットであり、内部に不図示の被記録媒体を収納する。このシートフィーダユニットは厚みにして１０ｍｍ分の媒体を収納可能である。２は上段カセット部、３は下段カセット部であり、それぞれ内部に厚み２５ｍｍ分の被記録媒体を収納する。シートフィーダユニット１の内部にはピックアップローラ４が設けられ、被記録媒体を給送する役割をする。給送部の詳細については後述する。
【００２２】
５は不図示のバネにより、ペーパーフィードローラ１１表面に圧接されるピンチローラである。給送された被記録媒体はペーパーフィードローラ１１とピンチローラ５に狭持されて記録部に送られる。６はインクジェットヘッドであり、媒体に対しインクを吐出して記録を行う。吐出ノズルは１／６００インチピッチで３００個存在する。インクジェットヘッド６にはブラック、イエロー、マゼンダ、シアン各色のタンクが装着され、ブラックのみ大容量になっている。７はキャリッジであり、キャリッジ７に固定されたキャリッジベルト８がキャリッジモータ９、アイドルプーリ１０間に掛け回されている。キャリッジ７はインクジェットヘッド６を搭載して、これらの駆動機構により、不図示のガイドに沿って左右にスキャンできる。１２はペーパーフィードローラ１１より下流に位置する排紙ローラであり、拍車ユニット１３内の拍車１５が不図示のバネにより排紙ローラ１２に押しつけられる。記録済の被記録媒体は排紙ローラ１２と拍車ユニット１３により排紙受けユニット１４に向かって送られる。排紙受けユニット１４は１秒間ユニット上に記録済被記録媒体を保持した後、被記録媒体を排紙トレイ１５に落下させる。このため、媒体上の未乾燥インクがこすれて画像品位が落ちる不具合がなくなる。１６はペーパーフィードモータであり、伝達ギア１７を介してペーパーフィードローラ１１と排紙ローラ１２を駆動する。１７はパージユニットであり、インクジェットヘッド６の吐出を良好な状態に保つためのインク吸引ポンプなどを有すが、詳細については省略する。ポンプの駆動用にはパージモータ１８が使用される。１９は拭きユニットであり、パージユニット１７と同じくインクジェットヘッド６の吐出を良好にするため、ヘッドのオリフィス面を拭く為のユニットである。キャリッジ７走査範囲はトップカバー２０にて囲われ、タンク交換時やジャム処理時のみ図１のように開けられる。
【００２３】
次に図２、図３を用いて給紙部周辺について説明する。図２、図３は給紙部の断面を表す図であり、図２はシートフィーダユニット１から給紙した場合を、図３は上段カセット部２または下段カセット部３から給紙した場合を示す。
【００２４】
図２において、ピックアップローラ４の回転により、被記録媒体２１がピックされ不図示の分離土手部で１枚だけ分離される。ピックアップローラ４はパージモータ１８から駆動伝達される。媒体先端の通過によって媒体パスに設けられたセンサフラグ２３が回転し、透過型フォトセンサであるペーパーエンドセンサ２２の光軸を遮蔽することにより、媒体の通過が検知される。上述した拍車ユニット１３内には拍車２４と拍車クリーナ２５が設けられる。クリーナは拍車表面を清掃し、インクが紙面に移らないようにする。ペーパーエンドセンサ２２オンのタイミングから所定の距離だけ媒体は送られ、記録開始位置に到る。
【００２５】
カセット給紙においても、類似の部品構成となる。図３において、２６はピックアップローラであり、このローラで送られた媒体は不図示の分離部で１枚だけ分離され、給送ローラ２７とコロ２８の圧接部に送られる。ピックアップローラ２６は不図示の給紙モータから駆動伝達される。給送ローラ２７は上述のパージモータ１８から駆動伝達されており、被記録媒体をペーパーフィードローラ１１まで搬送する。ピックアップローラ２６は半月形状をしており、１回転で図３の位置にもどり、媒体と非接触状態となって、その後は給送ローラ２７でのみ送られる。
【００２６】
次に、上述した装置の制御系の構成について説明する。
【００２７】
図４は当制御系の構成例を示すブロック図である。同図において、コントローラ２００はマイクロコンピュータ形態のＭＰＵ、プログラムや所要のテーブルその他の固定データを格納したＲＯＭ、各種データ（記録信号やヘッドに供給されるプリントデータ等）の一時保存領域や作業用領域を形成するためのＲＡＭ等を有する。ホスト２０１は、プリンタに対する画像データの供給源である。画像データ、その他のコマンド、ステータス信号等は、インターフェース（Ｉ／Ｆ）２０２を介してコントローラ２００と送受信される。ホスト２０１には前記した記録装置と各種アプリケーションプログラム間でのデータのやりとりを仲介するプリンタドライバソフトウェアがインストールされる。
【００２８】
本実施例のプリンタドライバのユーザ入力画面ではあらかじめシートフィーダユニット１、上段カセット部２、下段カセット部３に入っている被記録媒体の種類とサイズを入力しておく。さらに、例えば、ワープロソフトなどで、テキストと画像のページが混在したファイルを一括してプリントアウトするとき、３種の被記録媒体の中のどれかの媒体をページごとに指定できる。本例ではシートフィーダユニット１に光沢紙、上段カセット部２にインクジェット用トラペン、下段カセット部３に普通紙を入れているので、この中から選択することになる。他の用紙選択は各給紙部の媒体指定を変更しない限りできなくなっている。ユーザは各ページ内の画像の内容や目的によって、最適な被記録媒体を指定できる。テキスト主体のページには普通紙を割り当て、写真画像の場合は光沢紙を割り当てるなどの指定が可能となる。また、同じページをトラペンと普通紙の両方に記録するように指定することも可能である。この際、各ページがサムネイル表示され、ページ内容を確認しながら媒体指定できる構成にすれば、より望ましい。記録装置は指定されたとおりに各給紙部から媒体を給紙して記録を行う。なお、被記録媒体の指定とともにインク吐出量や吐出回数も自動的に調整され、媒体に応じて最も品位良く記録できるようにしている。
【００２９】
２０３は操作者による指示入力を受けるスイッチ群であり、電源スイッチ、ホスト２０１との間のオンライン／オフラインを設定するためのスイッチ等を有するものとすることができる。
【００３０】
２０４はプリンタの状態等を検出するためのセンサ群であり、上述のペーパーエンドセンサ２２等を含む。
【００３１】
ヘッドドライバ２０５は、プリントデータ等に応じてインクジェットヘッド２３の吐出エネルギー発生素子を駆動するドライバであり、駆動タイミングを制御するタイミング設定部等を有する。
【００３２】
２０６はカセット部のピックアップローラ２６を回転させるための不図示の給紙モータ２０７を駆動するドライバ、２０８はペーパーフィードローラ１１を回転させるペーパーフィードモータ１６を駆動するドライバ、２１０はキャリッジ７をスキャンさせるためのキャリッジモータ９を駆動するドライバ、２１２はパージモータ１８を駆動するドライバである。
【００３３】
次に記録動作について、図５のフローチャートを用いて説明する。
【００３４】
ＳＴＥＰ１で、記録装置の電源をＯＮにする。ＳＴＥＰ２で記録したいファイルをオープンし、印刷設定画面で各ページごとに被記録媒体を選択する。なお、すべて同じ媒体でよければ一括指定可能であるし、複数ページを一度に同じ媒体設定にすることもできる。ＳＴＥＰ３で記録命令を送る。ＳＴＥＰ４で１ページ目に指定した媒体の存在する媒体収納部から被記録媒体が給紙され、ペーパーフィードモータも駆動される。ＳＴＥＰ５で、ペーパーエンドセンサがＯＮなら、所定量搬送して記録開始位置で停止する（ＳＴＥＰ６）。ＯＦＦなら紙ジャムエラーと判断し、エラー表示を行う。ここでキャリッジ７をスキャンしつつインクジェットヘッド６よりインクを吐出して１行分記録を行う（ＳＴＥＰ７）。これで、１ページ分の記録が終了なら（ＳＴＥＰ８）、排紙し（ＳＴＥＰ１０）、終了でないなら、１行分の紙送りを行って（ＳＴＥＰ９）、同様に記録を繰り返す。排紙終了後、２ページ目を記録するなら、ＳＴＥＰ４より繰り返し（ＳＴＥＰ１１）、記録終了なら、キャリッジ７がパージユニット１７上の位置に戻って記録動作終了となる（ＳＴＥＰ１２）。
【００３５】
（他の実施例）
（第２の実施例）
実施例１では、ページごとの記録すべき内容に応じて、被記録媒体をユーザが選択して記録を行った。本実施例では、記録信号の内容によって自動的に被記録媒体をシステムで判断して選択する。一般に文字情報は文字コードとしてアプリケーションからプリンタドライバに送られ、画像データは画素の集合データとして送られるので両者を区別可能である。このように文字と画像情報が判別可能なことを利用し、例えば、画像の記録データが送られた場合には、光沢紙を自動的に給紙して記録し、テキストデータの場合は普通紙を給紙して記録するような制御手段を有するシステム構成とする。
【００３６】
本実施例ではユーザが内容を判断して被記録媒体を指示しなくても品位の高い記録物が得られるという利点がある。
【００３７】
さらに、画像とテキストの混在するページであっても、あらかじめそれらのデータの比率に応じてどの被記録媒体を選択するのかを決め、初期前提しておくことにより、ユーザが望む画像品位レベルで記録を行える。
【００３８】
（第３の実施例）
実施例１では各被記録媒体収納部に入っている被記録媒体をユーザがあらかじめ初期設定する必要があったが、本実施例はこの手間をなくすものである。
【００３９】
すなわち、収納部には給紙時の斜行を防止するため被記録媒体の側面及び後端に突き当てるスライド式あるいははめ込み式のガイドが設けられるのが一般的である。これらガイドの位置を検知する光学センサを設けておけば、各収納部にどんなサイズの媒体が入っているかがわかる。
【００４０】
この検知データと、ユーザが指定したページごとの媒体情報から、適切な媒体を給紙して記録できる。また、各収納部の媒体を入れ替えた場合なども、初期設定を自動的に変更するので、設定変更し忘れによる記録の失敗をなくすことができる。
【００４１】
さらに、被記録媒体の裏面に媒体種を記録するバーコード等のマーキングを設けておき、収納部内に設けた読み取り手段でそのマーキングを読み取って、媒体の種類を判別することにより、媒体のサイズと種類を両方判別でき、完全に初期設定が不必要になる。
【００４２】
【発明の効果】
以上説明した様に、第１の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、記録に使用する被記録媒体の収納された収納部をホスト上でページごとに指定可能なプリンタドライバと、前記プリンタドライバの指定に基づき、複数の被記録媒体収納部から選択的に被記録媒体を給送するよう制御する制御手段を設けることにより、ページごとに被記録媒体収納部を選択して記録することが可能である。例えば、テキスト記録はコストの安い普通紙に、写真画像は発色性に優れて見栄えのいいコート紙に記録したり、サイズの異なる被記録媒体を交互に記録したりできる。
【００４３】
すなわち、記録内容に応じて被記録媒体を選択する自由度の高い記録システムを実現できる。
【００４４】
第２の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、あらかじめ被記録媒体収納部に収納されている被記録媒体の種類及びサイズを指定でき、ホスト上で被記録媒体の種類及びサイズをページごとに指定可能なプリンタドライバと、前記プリンタドライバの指定に基づき、複数の被記録媒体収納部から選択的に被記録媒体を給送するよう制御する制御手段を設けることにより、複数の被記録媒体収納部のそれぞれに入れた被記録媒体の種類とサイズを登録し、ページごとにこれらの被記録媒体を選択して記録することができる被記録媒体を選択する自由度の高い記録システムを実現できる。
【００４５】
第３の発明においては、前記プリンタドライバが被記録媒体の種類及びサイズの指定に応じて最適な印字モードを自動設定することにより、ページごとにどのような被記録媒体を選択しても、最適化された記録を行え、被記録媒体を選択する自由度が高くかつ容易に高い画質を得られる記録システムを実現できる。
【００４６】
第４の発明においては、記録手段はインクジェットヘッドからインクを被記録媒体上に吐出して記録を行うインクジェット記録装置であり、前記プリンタドライバによる被記録媒体の種類及びサイズの指定に応じた最適なインク吐出量や吐出回数を自動設定することにより、ページごとにどのような被記録媒体を選択しても、最適化された吐出量や吐出回数で記録し、被記録媒体を選択する自由度が高くかつ容易に高い画質を得られる記録システムを実現できる。
【００４７】
第５の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、前記複数の被記録媒体収納部に収納されている被記録媒体の種類あるいはサイズを検知する手段と、ホスト上で被記録媒体の種類及びサイズをページごとに指定可能なプリンタドライバと、前記プリンタドライバの指定と前記検知手段の検知結果に基づき、複数の被記録媒体収納部から選択的に被記録媒体を給送するよう制御する制御手段を設けることにより、被記録媒体の種類とサイズを登録する必要がなく被記録媒体種を自動認識し、ページごとにこれらの被記録媒体を選択をして記録することができる被記録媒体選択の自由度の高い記録システムを実現できる。
【００４８】
第６の発明においては、記録に使用する被記録媒体の収納された収納部または被記録媒体の種類及びサイズをページごとに指定する際、ページごとの内容を画面に一覧表示させてページ内容を見ながら指定可能としたことにより、ユーザは画面を見てページ内容を確認しながら被記録媒体を選択できる。従って、被記録媒体選択の自由度の高さと操作性を両立した記録システムを実現できる。
【００４９】
第７の発明においては、被記録媒体を複数枚収納可能な複数の被記録媒体収納部と、これら各被記録媒体収納部内の被記録媒体を給送する給送手段と、給送手段により給送された被記録媒体上に記録を行う記録手段と、あらかじめ記録内容に応じた被記録媒体種を指定できるプリンタドライバと、前記プリンタドライバの指定に基づき、複数の被記録媒体収納部から記録内容に応じて被記録媒体をページごとに自動選択して給送するよう制御する制御手段を有することにより、ページ内の記録内容が例えばテキストか画像かを判断し、それぞれに適した被記録媒体を自動的に給紙して記録することができる。
【００５０】
すなわち、被記録媒体選択の作業も必要なく、かつ記録内容に応じた最適の用紙に自動的に記録して出力する操作性に優れた記録システムを実現できる。
【００５１】
第８の発明においては、前記プリンタドライバがテキスト記録及び画像記録それぞれに応じた被記録媒体を指定可能であるので、テキスト記録はランニングコストの安い普通紙で、画像は画質を優先してコート紙に記録する等の自動給送・記録ができ、コストパフォーマンスに優れた記録システムを実現できる。
【００５２】
第９の発明においては、１ページ内のテキスト部分と画像部分の比率に応じて、被記録媒体を自動選択して給送するので、画像部分が比較的少なく小さい画像しか含まれない場合には普通紙や低コストのコート紙、大きな画像が含まれ画質を重視する必要があると判断された場合は、発色性が良く写真調の記録が可能で厚手のヘビーコート紙やフィルムを選択して自動給紙・記録するので、コストパフォーマンスに優れた記録システムを実現できる。
【図面の簡単な説明】
【図１】第１の実施例の記録装置を表す斜視図
【図２】第１の実施例の給紙部周辺断面図（シートフィーダ給紙）
【図３】第１の実施例の給紙部周辺断面図（カセット給紙）
【図４】第１の実施例の制御系の構成例を示すブロック図
【図５】第１の実施例の動作を示すフローチャート
【符号の説明】
１  シートフィーダユニット
２  上段カセット
３  下段カセット
６  インクジェットヘッド
１１  ペーパーフィードローラ
【図１】
2005001252.tif 000003
【図２】
2005001252.tif 000004
【図３】
2005001252.tif 000005
【図４】
2005001252.tif 000006
【図５】
2005001252.tif 000007